(57)【要約】【課題】撮影した画像の補正効果を把握することが可能なアルバム動画を作成する撮像装置を提供すること。【解決手段】アルバム動画を作成する際に、１枚のＲＡＷ画像を画像補正なし／ありの両方で現像し、まず補正なし画像を所定フレーム記録し、続いて補正あり画像を所定フレーム記録することを特徴とする。【選択図】図５
2018207418.tif 000002
【特許請求の範囲】
【請求項１】
撮像手段と、
前記撮像手段から出力されたＲＡＷ画像を記録媒体に保存する記録手段と、
ＲＡＷ画像を補正するためのデータを取得する画像補正データ取得手段と、
前記記録媒体に保存されている画像から１つの動画を作成するアルバム作成手段を備え、
前記アルバム作成手段は前記ＲＡＷ画像から動画を作成するときには、
１枚のＲＡＷ画像を画像補正なしと画像補正ありの両方で現像を行い、
まず画像補正していない画像を所定フレーム記録し、
続いて画像補正した画像を所定フレーム記録することを特徴とする撮像装置。
【請求項２】
前記画像補正データ取得手段で取得されるデータは、レンズ特性であることを特徴とする請求項１に記載の撮像装置。
【請求項３】
前記アルバム作成手段は、画像補正していない画像から画像補正した画像に徐々に変化する補間処理を施した動画を作成することを特徴とする請求項１又は請求項２に記載の撮像装置。
【請求項４】
前記画像補正データ取得手段で取得されるデータは、ブレ情報であることを特徴とする請求項１乃至請求項３の何れか一項に記載の撮像装置。
【請求項５】
前記ＲＡＷ画像は、静止画像もしくは動画像であることを特徴とする請求項１乃至請求項４の何れか一項に記載の撮像装置。
【発明の詳細な説明】
【技術分野】
【０００１】
本発明は、撮像装置およびその制御方法、プログラムに関する。
【背景技術】
【０００２】
従来のデジタルカメラなどの撮像装置では、撮影した画像を選抜してアルバム動画を作成するものがある。
【０００３】
特許文献１には、被写体が人物であったときには、人物を切り出してアルバム動画を作成するものが開示されている。
【先行技術文献】
【特許文献】
【０００４】
【特許文献１】特開２０１５−１２６５２５号公報
【発明の概要】
【発明が解決しようとする課題】
【０００５】
しかしながら、上述の特許文献１に開示された従来技術では、アルバム動画を閲覧しても撮影した画像に、どれほどの画像補正が掛かっているのか分からない。
【０００６】
そこで、本発明の目的は、撮影した画像の補正効果を把握することが可能なアルバム動画を作成する撮像装置を提供することにある。
【課題を解決するための手段】
【０００７】
上記の目的を達成するために、本発明に係る撮像装置は、
撮像手段と、
前記撮像手段から出力されたＲＡＷ画像を記録媒体に保存する記録手段と、
ＲＡＷ画像を補正するためのデータを取得する画像補正データ取得手段と、
前記記録媒体に保存されている画像から１つの動画を作成するアルバム作成手段を備え、
前記アルバム作成手段は前記ＲＡＷ画像から動画を作成するときには、
１枚のＲＡＷ画像を画像補正なしと画像補正ありの両方で現像を行い、
まず画像補正していない画像を所定フレーム記録し、
続いて画像補正した画像を所定フレーム記録することを特徴とする。
【発明の効果】
【０００８】
本発明によれば、アルバム動画を閲覧することによって、撮影した画像の補正効果を把握することを可能にした撮像装置の提供を実現できる。
【図面の簡単な説明】
【０００９】
【図１】実施形態による撮像装置の一例としてのデジタルカメラの外観図である。
【図２】実施形態によるデジタルカメラの構成を示すブロック図である。
【図３】デジタルカメラ１００のアルバム作成処理の処理フローである。
【図４】デジタルカメラ１００のアルバムの種類を選択する画面である。
【図５】第１の実施例におけるアルバム動画作成処理の処理フローチャートである。
【図６】第１の実施例におけるアルバム動画に記録されるフレームの一例である。
【図７】第２の実施例におけるアルバム動画作成処理の処理フローチャートである。
【図８】第２の実施例におけるアルバム動画に記録されるフレームの一例である。
【図９】第３の実施例におけるアルバム動画作成処理の処理フローチャートである。
【発明を実施するための形態】
【００１０】
以下、添付の図面を参照して本発明の好適な実施形態について説明する。尚、以下に説明する実施形態では、本発明による装置、方法を静止画像と動画との撮影が可能なデジタルカメラである撮像装置に適用した場合を例にして説明する。
【００１１】
［デジタルカメラの構成について］
図１は実施形態によるデジタルカメラの外観図である。
【００１２】
図１の（ａ）において、２８は表示部であり、画像や各種情報を表示する。７２は電源スイッチであり、電源オン、電源オフを切り替える。６０はモード切替スイッチであり、デジタルカメラ１００における各種モードを切り替える。より具体的には、静止画記録モード、動画記録モード等のモードの切り替えが可能である。
【００１３】
７０は操作部であり、ユーザからの各種操作を受け付ける。操作部７０は図示の各種ボタンや、画像表示部２８の画面上に設けられたタッチパネル等の操作部材を有する。操作部７０の各種ボタンとは、具体的に例示すると、再生ボタン、消去ボタン、メニューボタン、ＳＥＴボタン、十字に配置された４方向ボタン（上ボタン、下ボタン、右ボタン、左ボタン）、ホイール７３等である。２００はメモリカードやハードディスク等の記録媒体である。２０１は記録媒体スロットであり、記録媒体２００を格納する。記録媒体スロット２０１に格納された記録媒体２００は、デジタルカメラ１００との通信が可能となる。２０２は記録媒体スロット２０１の蓋である。
【００１４】
図１の（ｂ）において、６１はシャッターボタンであり、１０３は交換レンズである。
【００１５】
図２は本実施形態によるデジタルカメラ１００の構成例を示すブロック図である。
【００１６】
図２において、１０３は撮影レンズ、１０１は絞り機能を備えるシャッター、２２は光学像を電気信号に変換するＣＣＤやＣＭＯＳ素子等で構成される撮像部である。２３はＡ／Ｄ変換器であり、アナログ信号をデジタル信号に変換する。Ａ／Ｄ変換器２３は、撮像部２２から出力されるアナログ信号をデジタル信号に変換する場合や、音声制御部１１から出力されるアナログ信号をデジタル信号に変換する場合に用いられる。
【００１７】
１２はタイミング発生部であり、撮像部２２、音声制御部１１、Ａ／Ｄ変換器２３、Ｄ／Ａ変換器１３にクロック信号や制御信号を供給する。タイミング発生部１２は、メモリ制御部１５及びシステム制御部５０により制御される。２４は画像処理部であり、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２３からの出力データは、画像処理部２４及びメモリ制御部１５を介して、或いは、直接メモリ制御部１５を介して、メモリ３２に書き込まれる。メモリ３２は、撮像部２２によって得られＡ／Ｄ変換器２３によりデジタルデータに変換された画像データや、画像表示部２８に表示するための画像データを格納する。尚、メモリ３２は、マイク１０において録音された音声データ、静止画像、動画像および画像ファイルを構成する場合のファイルヘッダを格納するのにも用いられる。従って、メモリ３２は、所定枚数の静止画像や所定時間の動画像および音声を格納するのに十分な記憶容量を備えている。
【００１９】
圧縮／伸張部１６は、適応離散コサイン変換（ＡＤＣＴ）等により画像データを圧縮、伸張する。圧縮／伸張部１６は、シャッター１０１をトリガにしてメモリ３２に格納された撮影画像を読み込んで圧縮処理を行い、処理を終えたデータをメモリ３２に書き込む。また、記録媒体２００の記録部１９などからメモリ３２に読み込まれた圧縮画像に対して伸張処理を行い、処理を終えたデータをメモリ３２に書き込む。圧縮／伸張部１６によりメモリ３２に書き込まれた画像データは、システム制御部５０のファイル部においてファイル化され、インターフェース１８を介して記録媒体２００に記録される。また、メモリ３２は画像表示用のメモリ（ビデオメモリ）を兼ねている。１３はＤ／Ａ変換器であり、メモリ３２に格納されている画像表示用のデータをアナログ信号に変換して画像表示部２８に供給する。２８は画像表示部であり、ＬＣＤ等の表示器上に、Ａ／Ｄ変換器２３からのアナログ信号に応じた表示を行う。こうして、メモリ３２に書き込まれた表示用の画像データはＤ／Ａ変換器１３を介して画像表示部２８により表示される。
【００２０】
１０はマイクである。マイク１０から出力された音声信号は、アンプ等で構成される音声制御部１１を介してＡ／Ｄ変換器２３に供給され、Ａ／Ｄ変換器２３においてデジタル信号に変換された後、メモリ制御部１５によってメモリ３２に格納される。一方、記録媒体２００に記録されている音声データは、メモリ３２に読み込まれた後、Ｄ／Ａ変換器１３によりアナログ信号に変換される。音声制御部１１は、このアナログ信号によりスピーカ３９を駆動し、音声出力する。
【００２１】
不揮発性メモリ５６は電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２２】
５０はシステム制御部であり、デジタルカメラ１００全体を制御する。システム制御部５０は、上述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。
【００２３】
モード切替スイッチ６０、第１シャッタースイッチ６２、第２シャッタースイッチ６４、操作部７０はシステム制御部５０に各種の動作指示を入力するための操作手段である。
モード切替スイッチ６０は、システム制御部５０の動作モードを静止画記録モード、動画記録モード等のいずれかに切り替えることができる。第１シャッタースイッチ６２は、デジタルカメラ１００に設けられたシャッターボタン６１の操作途中（半押し）でＯＮとなり第１シャッタースイッチ信号ＳＷ１を発生する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２４】
第２シャッタースイッチ６４は、シャッターボタン６１の操作完了（全押し）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２５】
操作部７０の各操作部材は、画像表示部２８に表示される種々の機能アイコンを選択操作することなどにより、場面ごとに適宜機能が割り当てられ、各種機能ボタンとして作用する。機能ボタンとしては例えば終了ボタン、戻るボタン、画像送りボタン、ジャンプボタン、絞込みボタン、属性変更ボタン等がある。例えば、メニューボタンが押されると各種設定が可能なメニュー画面が画像表示部２８に表示される。利用者は、画像表示部２８に表示されたメニュー画面と、４方向ボタンやＳＥＴボタンとを用いて直感的に各種設定を行うことができる。電源スイッチ７２は、電源オン、電源オフを切り替える。
【００２６】
８０は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２７】
３０は電源部であり、アルカリ電池やリチウム電池等の一次電池やＮｉＣｄ電池やＮｉＭＨ電池、Ｌｉ電池等の二次電池、ＡＣアダプター等からなる。３３及び３４はコネクタであり、電源部３０と電源制御部８０とを接続する。
【００２８】
４０はブレ量検知部であり、角速度センサーやジャイロセンサーからなる。手ブレなどブレを検出し、ブレの方向やブレ量を検出する。
【００２９】
１８はメモリカードやハードディスク等の記録媒体２００とのインターフェースである。３５は該記録媒体２００とインターフェース１８との接続のためのコネクタである。
【００３０】
９８は記録媒体着脱検知部であり、コネクタ３５に記録媒体２００が装着されているか否かを検知する。
【００３１】
２００はメモリカードやハードディスク等の記録媒体である。記録媒体２００は、半導体メモリや磁気ディスク等から構成される記録部１９、デジタルカメラ１００とのインターフェース３７、及び、記録媒体２００とデジタルカメラ１００とを接続するためのコネクタ３６を備えている。
【００３２】
通信部１１０は、ＲＳ２３２ＣやＵＳＢ、ＩＥＥＥ１３９４、Ｐ１２８４、ＳＣＳＩ、モデム、ＬＡＮ、無線通信、等の各種通信処理を行う。コネクタ（無線通信の場合はアンテナ）１１２は、通信部１１０を介してデジタルカメラ１００を他の機器と接続する。
【実施例１】
【００３３】
以下、図３〜図５を参照して、本発明の第１の実施例による、デジタルカメラ１００のアルバム作成処理について説明する。
【００３４】
デジタルカメラ１００は、記録媒体２００に記録された静止画ファイルと動画ファイルが所定の順序で再生されるように合成し、一つの動画を生成する機能を持つ。このように生成される一つの動画を本実施形態ではアルバムと呼ぶ。本実施形態では、記録媒体２００に記録された静止画ファイル或いは動画ファイルから所定の条件に従ってシステム制御部５０が自動的に選択したファイル、或いは、ユーザの指示により選択されたファイルから、一つのアルバムを生成する。
【００３５】
図３はアルバム作成処理のフローチャートである。
【００３６】
まずシステム制御部５０は、Ｓ３０１でアルバム作成方法を判定する。システム制御部５０は、図４に示すような画面を表示部２８に表示し、デジタルカメラ１００の使用者により選択された方法でアルバムを作成する。この図４は、デジタルカメラ１００の使用者が、デジタルカメラ１００に対して、２０１６年７月１日の日付で撮影された画像でアルバムを作成することを指示する画面の一例である。
【００３７】
つぎにシステム制御部５０は、Ｓ３０１で指示された方法でアルバムを作成するための画像を選択する（Ｓ３０２）。その後、システム制御部５０はアルバム動画の作成を行う（Ｓ３０３）。このアルバム動画作成処理の詳細は、図５を用いて後述する。
【００３８】
図５は図３のアルバム動画作成処理（Ｓ３０３）の詳細な処理フローである。
【００３９】
システム制御部５０は、まず空の動画ファイルを作成する（Ｓ５０１）。ここで作成した動画ファイルには各種管理情報が含まれており、この管理情報については広く知られているため、ここでは説明しない。
【００４０】
つぎにシステム制御部５０は、図３のＳ３０２で選択したアルバム作成用画像の一覧を取得し（Ｓ５０２）、その中から最初のファイルを選択する（Ｓ５０３）。ここで選択した画像がＲＡＷ画像であるかどうかを判定し（Ｓ５０４）、ＲＡＷ画像であったときはＳ５０５に進む。このＲＡＷ画像には、撮像部２２から取得した画像データと、交換レンズ１０３の補正データが含まれている。交換レンズ１０３の補正データには、たとえばひずみ補正データや周辺光量データが含まれている。
【００４１】
つぎにシステム制御部５０は、ＲＡＷ画像を現像する（Ｓ５０５）。その際に、レンズ補正データを使用せずに画像を現像する。その後、Ｓ５０６に進み、今度はレンズ補正データを使用して、レンズ補正を行った画像を現像する。
【００４２】
つぎにシステム制御部５０は、所定フレーム分Ｓ５０５で現像した画像データ（レンズ補正なし）をＳ５０１で作成した動画ファイルに書き込む（Ｓ５０７）。その際、画像データを書き込むとともに、動画ファイルの管理情報を変更する。その後、Ｓ５０８に進み、今度はレンズ補正を行って現像した画像データを動画ファイルに書き込む。
【００４３】
図６はＳ５０４〜Ｓ５０８の処理を行った結果得られる動画像の一例である。
【００４４】
図６の（ａ）はひずみ（樽型収差）補正、図６の（ｂ）は周辺光量補正を表している。６０１、Ｓ６０３はＳ５０５でレンズ補正データを使用せずにＲＡＷ画像を現像した画像で、６０２、Ｓ６０４はＳ５０６でレンズ補正データを使用してレンズ補正を行ってＲＡＷ画像を現像した画像である。結果として、レンズ補正を行っていない画像から、レンズ補正を行った画像に変化する動画像としてアルバム用の動画に記録される。もちろんＳ５０６で、ひずみ補正と周辺光量補正の両方を行った画像を現像してもよい。
【００４５】
システム制御部５０は、Ｓ５０４で選択したファイルがＲＡＷ画像ではなく、たとえばＪＰＥＧ画像であると判定したときは、画像を復号化し（Ｓ５０９）、復号化した画像を所定フレーム分Ｓ５０１で作成した動画ファイルに記録する（Ｓ５０１）。
【００４６】
システム制御部はＳ５０８，もしくはＳ５１０の処理が終わると、Ｓ５０２で取得したアルバム作成用画像のすべての画像を動画ファイルにしたかを判定する（Ｓ５１１）。すべての画像を動画にしていたときは処理を終了し、まだアルバム用動画にするファイルが残っているときはＳ５０４に戻る。
【００４７】
以上説明したように、第１の実施例によればアルバム動画を閲覧することによって、デジタルカメラ１００の使用者はレンズ補正の効果を把握することが可能となる。さらには装着したレンズ１０３のひずみや周辺光量などの特性を把握することが可能となる。特に一眼レフカメラのようにレンズを交換できるデジタルカメラでは、装着したレンズ特性にあわせたアルバム動画を作成することが可能となる。
【実施例２】
【００４８】
以下、図７〜図８を参照して、本発明の第２の実施例による、デジタルカメラ１００のアルバム作成処理について説明する。
【００４９】
図７は第２の実施例による、アルバム作成処理の処理フローである。図７のＳ５０１〜Ｓ５０６、およびＳ５０９〜Ｓ５１２は図５と同じであり、ここでは説明しない。図５と図７の違いはＳ７０１である。
【００５０】
Ｓ７０１でシステム制御部５０は、Ｓ５０５で現像したレンズ補正なしの画像から、Ｓ５０６で現像したレンズ補正を行った画像に徐々に切り替わるように補間処理を施したフレームを作成し、アルバム用動画像として保存する。
【００５１】
図８は周辺光量補正を行っていない画像から、補正を行った画像に徐々に切り替わるように補間処理を施したときのフレーム画像の一例である。
【００５２】
８０１は補正を行っていない画像、８０３は補正を行った画像、８０２は８０１と８０３の中間画像である。このようなフレームを作成することによって、徐々に画像が切り替わるアルバム動画を作成することが可能となる。
【実施例３】
【００５３】
以下、図９を参照して、本発明の第２の実施例による、デジタルカメラ１００のアルバム作成処理について説明する。図９のＳ５０１〜Ｓ５０４、およびＳ５０７〜Ｓ５１２は図５と同じであり、ここでは説明しない。図５と図７の違いはＳ９０１、Ｓ９０２である。
【００５４】
システム制御部５０は、ＲＡＷ画像記録時に、撮像部２２からの画像データとともに、ブレ量検知部４０で出力されたブレ量とブレの方向を記録する。その後、システム制御部５０は、図９のアルバム動画作成処理では、まずＲＡＷ画像をブレ補正なしで現像する（Ｓ９０１）。つぎにＲＡＷ画像をブレ補正ありで現像する（Ｓ９０２）。
【００５５】
その結果、アルバム動画としては、まずブレ補正なしの画像が表示され、つぎにブレ補正を行った画像が表示される。そのため、デジタルカメラ１００の使用者はアルバム動画を閲覧することによって、ブレ補正の効果を確認することが可能となる。また第２の実施例で説明したように、ブレ補正なしの画像から徐々にブレ補正ありの画像に切り替わるようなアルバム動画を作成しても、もちろんかまわない。
【実施例４】
【００５６】
第１〜第３の実施例では、最初にレンズ補正などの補正なしの画像を現像して表示していた。しかし、たとえば周辺光量補正であれば、より周辺光量の落ち方が目立つように、中央部分よりも四隅部分を実際に記録された画像よりも暗く現像することによって、どの部分が補正されるのかをデジタルカメラ１００の使用者が把握しやすくなるように構成してもかまわない。
【００５７】
また第１〜第３の実施例では、補正する画像を静止画像として説明したが、動画像であっても、もちろんかまわない。
【００５８】
以上、本発明の好ましい実施形態について説明したが、本発明はこれらの実施形態に限定されず、その要旨の範囲内で種々の変形及び変更が可能である。
【符号の説明】
【００５９】
２８  表示部、７２  電源スイッチ、６０  モード切替スイッチ、
１００  デジタルカメラ
【図１】
2018207418.tif 000003
【図２】
2018207418.tif 000004
【図３】
2018207418.tif 000005
【図４】
2018207418.tif 000006
【図５】
2018207418.tif 000007
【図６】
2018207418.tif 000008
【図７】
2018207418.tif 000009
【図８】
2018207418.tif 000010
【図９】
2018207418.tif 000011